(57)【要約】【課題】従来にない斬新な演出効果を発揮可能な遊技機を提供する。【解決手段】筐体１０の前面部（筐体１０内の前面カバー１２の後方）には、透過液晶表示部２０が配置されている。この透過液晶表示部２０は、透明液晶を用いて画像を表示可能である。また、筐体１０内の透過液晶表示部２０の後方には、立体画像表示部３０が配置されている。この立体画像表示部３０は、表示部３１に表示された立体画像が反射板３２によって前方に反射されることで立体画像を表示するようになっている。この立体画像表示部３０に表示された立体画像は、前方の透過液晶表示部２０を通して視認可能となる。前側の透過液晶表示部２０に何も表示しなければ後側の立体画像表示部３０の表示だけになり、逆に、後側の立体画像表示部３０に何も表示しなければ前側の透過液晶表示部２０の表示だけになり、両方の画像表示部で画像表示を行えば重畳表示となる。【選択図】図２
2015112397.tif 000002
【特許請求の範囲】
【請求項１】
遊技を行う構成を収容する筐体を備える遊技機において、
前記筐体の前面部に配置され、透過液晶を用いて画像を表示する前面画像表示部と、
前記筐体内の前記前面画像表示部の後方に配置され、前記前面画像表示部の前記透過液晶を通して視認される画像を表示する後方画像表示部と、を備えること
を特徴とする遊技機。
【請求項２】
請求項１に記載の遊技機において、
前記後方画像表示部は、立体画像を表示可能であること
を特徴とする遊技機。
【請求項３】
請求項１または請求項２に記載の遊技機において、
前記筐体内における前記後方画像表示部の後方には、前記前面画像表示部の前記透過液晶および前記後方画像表示部を通して視認される背景画が配置されていること
を特徴とする遊技機。
【発明の詳細な説明】
【技術分野】
【０００１】
本発明は、遊技機の技術分野に属する。
【背景技術】
【０００２】
特許文献１には、遊技機（１）のキャビネット（２）の正面に配置された透明な液晶表示装置（５）が、キャビネット（２）内部の３個の回転リール（３Ｌ，３Ｃ，３Ｒ）の前面に位置しており、回転リール（３Ｌ，３Ｃ，３Ｒ）に描かれた図柄が視認可能となるとともに、自らはキャラクタ等による演出を表示可能である点が記載されている。
【先行技術文献】
【特許文献】
【０００３】
【特許文献１】特開２００６−１４９７５５号公報（第５〜６頁、図２）
【発明の概要】
【発明が解決しようとする課題】
【０００４】
この種の遊技機に対しては、上述のような透明な液晶表示装置の背後に回転リールを配置することによって発揮される演出効果とは異なる新たな演出効果が求められていた。
本発明は、このような課題に鑑みなされたものであり、その目的とするところは、従来にない斬新な演出効果を発揮可能な遊技機を提供することにある。
【課題を解決するための手段】
【０００５】
上記課題を解決するためになされた請求項１に係る遊技機は、遊技を行う構成を収容する筐体を備える遊技機において、前記筐体の前面部に配置され、透過液晶を用いて画像を表示する前面画像表示部と、前記筐体内の前記前面画像表示部の後方に配置され、前記前面画像表示部の前記透過液晶を通して視認される画像を表示する後方画像表示部と、を備えることを特徴とする。
【０００６】
このように構成された本発明の遊技機によれば、筐体の前面部に前面画像表示部を配し、前面画像表示部の後方に後方画像表示部を配した構造であるから、前側の前面画像表示部に何も表示しなければ後側の後方画像表示部の表示だけになり、逆に、後側の後方画像表示部に何も表示しなければ前側の前面画像表示部の表示だけになり、両方の画像表示部で画像表示を行えば重畳表示となる。したがって、本発明の遊技機によれば、従来にない斬新な演出効果を発揮することができる。
【０００７】
請求項２に係る遊技機は、請求項１に記載の遊技機において、前記後方画像表示部は、立体画像を表示可能であることを特徴とする。
このように構成された本発明の遊技機によれば、後側の後方画像表示部が立体画像を表示可能であるので、前側の前面画像表示部と後側の後方画像表示部とによる画像表示によって、より斬新な演出効果を発揮することができる。
【０００８】
請求項３に係る遊技機は、請求項１または請求項２に記載の遊技機において、前記筐体内における前記後方画像表示部の後方には、前記前面画像表示部の前記透過液晶および前記後方画像表示部を通して視認される背景画が配置されていることを特徴とする。
【０００９】
このように構成された本発明の遊技機によれば、筐体内の後方画像表示部の後方に配置された背景画が前面液晶表示部の透過液晶および後方画像表示部を通して視認可能となっているので、前面液晶表示部および後方立体画像表示部による画像の重畳表示と背景画とによって、より斬新な演出効果を発揮することができる。
【図面の簡単な説明】
【００１０】
【図１】実施形態の遊技機１の斜視図である。
【図２】実施形態の遊技機１の側断面である。
【図３】前方の表示画像、後方の表示画像および背景画の例を示す斜視図である。
【図４】前方の表示画像、後方の表示画像および背景画の例を示す正面図である。
【発明を実施するための形態】
【００１１】
以下に本発明の実施形態を図面とともに説明する。なお、本発明は下記実施形態に限定されるものではなく、様々な態様にて実施することが可能である。
［１．遊技機１の構成の説明］
図１に示すように、スロットマシンやパチンコ機などの遊技機１は、遊技を行う構成を収容する筐体１０を備える。
【００１２】
筐体１０は、開口が前面に形成された箱体である筐体本体１１と、筐体本体１１の開口を覆う前面カバー１２と、から構成される。
前面カバー１２は透光性を有する材料で構成された部分を有し、前方から筐体本体１１内部の各種構成（後述する透過液晶表示部２０や立体画像表示部３０、筐体本体１１内部の背景画など）を視認可能となっている。
【００１３】
また、筐体１０の前面上部（前面カバー１２の上部）には、回転リール部１３が設けられている。回転リール部１３には、各々の外周面に複数種類の図柄を配置した図柄列が描かれた３個のリール（左のリール１３Ｌ、中央のリール１３Ｃ、右のリール１３Ｒ）が横一列に設けられている。各リールは、内蔵するモータによって回転可能になっている。また、各リールの図柄は表示窓１４Ｌ、１４Ｃ、１４Ｒを通して観察できるようになっている。なお、各リールの遊技者に対面する部分がそれぞれの変動域に該当する。このため、回転リール部１３は、複数の変動域（本実施形態では３つ）のそれぞれに複数種類の図柄を変動表示した後に各変動域に図柄を静止表示することができる。
【００１４】
また、筐体１０の前面中央（前面カバー１２の中央部）には、操作部１５が設けられている。この操作部１５の前面の部分には、３個のリール１３Ｌ、１３Ｃ、１３Ｒの回転をそれぞれ停止させるための手段として、３個の停止スイッチ（左の停止スイッチ１６Ｌ、中央の停止スイッチ１６Ｃ、右の停止スイッチ１６Ｒ）が設けられている。また、操作部１５の前面のうち３個の停止スイッチ１６Ｌ、１６Ｃ、１６Ｒの左側の部分には、３個のリール１３Ｌ、１３Ｃ、１３Ｒの回転をそれぞれ開始させるための手段として、１個のスタートスイッチ１７が設けられている。また、操作部１５の上面の左側の部分には、ＢＥＴボタン１８が設けられている。また、操作部１５の上面の右側の部分には、メダル投入口１９が設けられている。
【００１５】
また、図２に示すように、筐体１０の前面部（筐体１０内の前面カバー１２の後方）には、透過液晶表示部２０が配置されている。この透過液晶表示部２０は、透明液晶を用いて画像を表示可能である（図３参照）。
【００１６】
なお、透過液晶表示部２０は前面画像表示部に該当する。
また、筐体１０内の透過液晶表示部２０の後方には、立体画像表示部３０が配置されている。この立体画像表示部３０は、表示部３１と、反射板３２と、を備え、表示部３１に表示された立体画像が反射板３２によって前方に反射されることで立体画像を表示するようになっている（図３参照）。この立体画像表示部３０に表示された立体画像は、前方の透過液晶表示部２０を通して視認可能となる。また、反射板３２は、後方が透過可能となっている。
【００１７】
なお、立体画像表示部３０の反射板３２は後方画像表示部に該当する。
また、筐体本体１１内部の後方の内壁面１１ａには背景画が形成されている。この背景画は、前方の透過液晶表示部２０および立体画像表示部３０の反射板３２を通して視認可能となっている（図３参照）。
【００１８】
図３，４に、前方の表示画像、後方の表示画像および背景画の例を示す。なお、図３では、便宜上、筐体１０を透過して、透過液晶表示部２０の表示画像、立体画像表示部３０の表示画像および筐体本体１１の背景画が視認可能な状態を示している。
【００１９】
［２．実施形態の効果］
（１）このように本実施形態の遊技機１によれば、筐体１０の前面部に透過液晶表示部２０を配し、透過液晶表示部２０の後方に立体画像表示部３０を配した構造であるから、前側の透過液晶表示部２０に何も表示しなければ後側の立体画像表示部３０の表示だけになり、逆に、後側の立体画像表示部３０に何も表示しなければ前側の透過液晶表示部２０の表示だけになり、両方の画像表示部で画像表示を行えば重畳表示となる。したがって、本実施形態の遊技機１によれば、従来にない斬新な演出効果を発揮することができる。
【００２０】
（２）また、本実施形態の遊技機１によれば、後側の立体画像表示部３０が立体画像を表示可能であるので、前側の透過液晶表示部２０と後側の立体画像表示部３０とによる画像表示によって、より斬新な演出効果を発揮することができる。
【００２１】
（３）また、本実施形態の遊技機１によれば、筐体本体１１内部後方の内壁面１１ａに背景画が形成され、この背景画が前方の透過液晶表示部２０および立体画像表示部３０の反射板３２を通して視認可能となっているので、透過液晶表示部２０および立体画像表示部３０による画像の重畳表示と背景画とによって、より斬新な演出効果を発揮することができる。
【符号の説明】
【００２２】
１…遊技機、１０…筐体、１１…筐体本体、１１ａ…内壁面（背景画）、１２…前面カバー、１３…回転リール部、１３Ｃ，１３Ｌ，１３Ｒ…リール、１４Ｃ，１４Ｌ，１４Ｒ…表示窓、１５…操作部、１６Ｃ，１６Ｌ，１６Ｒ…停止スイッチ、１７…スタートスイッチ、１８…ＢＥＴボタン、１９…メダル投入口、２０…透過液晶表示部、３０…立体画像表示部、３１…表示部、３２…反射板。
【図１】
2015112397.tif 000003
【図２】
2015112397.tif 000004
【図３】
2015112397.tif 000005
【図４】
2015112397.tif 000006